(57)【要約】【課題】購買者がオンライン、インターネット等で、購入を希望する商品とその商品が適用される対象物との適合性を容易に確認することができる商品適合性判別方法及び商品適合性判別サーバの提供を目的とする。【解決手段】購買者端末１０が販売者サーバ２０から購入を希望している商品と、前記商品が適用される対象物との適合性を購買者端末１０からの要求に応じて判別する商品適合性判別サーバ３０における商品適合性判別方法であって、購買者端末１０からの前記適合性の判別要求を、前記商品の形状データ５０と前記対象物の形状データ６０と共に受信する段階と、前記商品の形状データ５０と前記対象物の形状データ６０とを比較することにより、前記適合性を判別する段階と、前記適合性の判別結果を購買者端末１０に送信する段階とを有することを特徴とする商品適合性判別方法。【選択図】　　　　図１
2004021840.tif 000002
【特許請求の範囲】
【請求項１】
購買者端末が販売者サーバから購入を希望している商品と、前記商品が適用される対象物との適合性を前記購買者端末からの要求に応じて判別する商品適合性判別サーバにおける商品適合性判別方法であって、
前記購買者端末からの前記適合性の判別要求を、前記商品の形状データと前記対象物の形状データと共に受信する段階と、
前記商品の形状データと前記対象物の形状データとを比較することにより、前記適合性を判別する段階と、
前記適合性の判別結果を前記購買者端末に送信する適合性判別結果送信段階とを有することを特徴とする商品適合性判別方法。
【請求項２】
購買者端末が販売者サーバから購入を希望している商品と、前記商品が適用される対象物との適合性を前記購買者端末からの要求に応じて判別する商品適合性判別サーバにおける商品適合性判別方法であって、
前記購買者端末からの前記適合性の判別要求を、前記商品の形状データと前記対象物の識別情報と共に受信する段階と、
前記識別情報から予め記憶している形状データを取り出す段階と、
前記商品の形状データと前記対象物の形状データとを比較することにより、前記適合性を判別する段階と、
前記適合性の判別結果を前記購買者端末に送信する適合性判別結果送信段階とを有することを特徴とする商品適合性判別方法。
【請求項３】
購買者端末が販売者サーバから購入を希望している商品と、前記商品が適用される対象物との適合性を前記購買者端末からの要求に応じて判別する商品適合性判別サーバにおける商品適合性判別方法であって、
前記購買者端末からの前記適合性の判別要求を、前記商品の形状データの格納場所に関する情報と前記対象物の形状データと共に受信する段階と、
前記商品の形状データを前記格納場所から取得する取得する段階と、
前記商品の形状データと前記対象物の形状データとを比較することにより、前記適合性を判別する段階と、
前記適合性の判別結果を前記購買者端末に送信する適合性判別結果送信段階とを有することを特徴とする商品適合性判別方法。
【請求項４】
購買者端末が販売者サーバから購入を希望している商品と、前記商品が適用される対象物との適合性を前記購買者端末からの要求に応じて判別する商品適合性判別サーバにおける商品適合性判別方法であって、
前記購買者端末からの前記適合性の判別要求を、前記商品の前記商品の形状データの格納場所に関する情報と前記対象物の識別情報と共に受信する段階と、
前記商品の形状データを前記格納場所から取得する段階と、
前記識別情報から予め記憶している形状データを取り出す段階と、
前記商品の形状データと予め有している前記対象物の形状データとを比較することにより、前記適合性を判別する段階と、
前記適合性の判別結果を前記購買者端末に送信する適合性判別結果送信段階とを有することを特徴とする商品適合性判別方法。
【請求項５】
前記適合性判別結果送信段階は、前記適合性の判別結果を更に前記販売者サーバに送信することを特徴とする請求項１乃至４記載の商品適合性判別方法。
【請求項６】
前記商品適合性判別サーバと前記販売者サーバとを統合して一つの装置としたことを特徴とする請求項１乃至４いずれか一項記載の商品適合性判別方法。
【請求項７】
前記商品適合性判別サーバは、前記適合性を判別する段階の処理、又は前記判別結果に応じて課金額を決定する段階と、
前記課金額を購買者端末又は販売者サーバに送信する段階とを更に有することを特徴とする請求項１乃至６いずれか一項記載の商品適合性判別方法。
【請求項８】
前記課金額は、前記商品の形状データ又は前記対象物の形状データのデータ量、データの照合を行った回数、商品の種類、又はそれらの組み合わせに応じて決定されることを特徴とする請求項７記載の商品適合性判別方法。
【請求項９】
購買者端末が販売者サーバから購入を希望している商品と、前記商品が適用される対象物との適合性を購買者端末からの要求に応じて判別する商品適合性判別サーバであって、
前記購買者端末からの前記適合性の判別要求を、前記商品の形状データと前記対象物の形状データと共に受信する手段と、
前記商品の形状データと前記対象物の形状データとを比較することにより、前記適合性を判別する手段と、
前記適合性の判別結果を前記購買者端末に送信する手段とを有することを特徴とする商品適合性判別サーバ。
【請求項１０】
購買者端末が販売者サーバから購入を希望している商品と、前記商品が適用される対象物との適合性を購買者端末からの要求に応じて判別する商品適合性判別サーバであって、
前記購買者端末からの前記適合性の判別要求を、前記商品の形状データの格納場所に関する情報と前記対象物の形状データと共に受信する手段と、
前記商品の形状データを前記格納場所から取得する取得する手段と、
前記商品の形状データと前記対象物の形状データとを比較することにより、前記適合性を判別する手段と、
前記適合性の判別結果を前記購買者端末に送信する適合性判別結果送信手段とを有することを特徴とする商品適合性判別サーバ。
【発明の詳細な説明】
【０００１】
【発明の属する技術分野】
本発明は、商品とその対象物との適合性の判別方法に関し、特にコンピュータによる商品とその対象物との適合性の判別方法に関する。
【０００２】
【従来の技術】
近年、インターネット上での商取引が普及している。購買者は販売者が供給する情報を元に購入を決定し、インターネット上で注文や支払い処理を行う。インターネット上での購入は、販売店まで出向かなくても複数の商品を比較検討できる点で購買者にメリットがある。また、倉庫から小売店へ商品を届けるような流通においても、発注システムがオンライン化されることにより簡単に必要な商品を発注することができるようになっている。
【０００３】
一方、服飾品などは実際に自分の体型に合わせる必要がある。また、家具、システムキッチンなども、実際にそれらを配置するスペースに適合するかを知りたい。これらの場合、インターネット上での売買は手間がかかったり、あるいは商品が適用される物、スペースに適していないものを購入するはめになる場合がある。従って、これらの商品の場合、結局のところ実際に販売店に赴かざるをえない場合が多い。また小売店が商品を届けてもらう場合も、陳列スペースを満たすにはどのくらいの数量、品種が必要なのかを容易に把握し難い。
【０００４】
この課題を解決するために、従来技術として、例えば身体等の３次元データと購入品である服飾品等の３次元データとをコンピュータ上で比較することにより購入するか否かを決定できるようにした手法（特開平１０−１２４５７４）等があり、販売店に出向くことなく、インターネット上で体型に合った服や配置スペースに収まる家具等を購入できる。
【０００５】
【発明が解決しようとする課題】
しかしながら上述による方法では、サイズが適合するか否かを購買者が一つずつ確認せねばならずないため、購買者にとっては非常に煩雑な作業となる。
【０００６】
本発明は、上記の点に鑑みてなされたものであって、購買者がオンライン、インターネット等で、購入を希望する商品とその商品が適用される対象物との適合性を容易に確認することができる商品適合性判別方法及び商品適合性判別サーバの提供を目的とする。
【０００７】
【課題を解決するための手段】
そこで上記課題を解決するため、本発明は、購買者端末が販売者サーバから購入を希望している商品と、前記商品が適用される対象物との適合性を前記購買者端末からの要求に応じて判別する商品適合性判別サーバにおける商品適合性判別方法であって、前記購買者端末からの前記適合性の判別要求を、前記商品の形状データと前記対象物の形状データと共に受信する段階と、前記商品の形状データと前記対象物の形状データとを比較することにより、前記適合性を判別する段階と、前記適合性の判別結果を前記購買者端末に送信する適合性判別結果送信段階とを有することを特徴とする。
【０００８】
このような商品適合性判別方法では、購買者が商品適合性判別サーバによる判別結果を確認することにより、煩雑な操作を行うことなく、購入を希望する商品とその商品が適用される対象物との適合性を容易に確認することができる。
【０００９】
また、上記課題を解決するため、本発明は、購買者端末が販売者サーバから購入を希望している商品と、前記商品が適用される対象物との適合性を前記購買者端末からの要求に応じて判別する商品適合性判別サーバにおける商品適合性判別方法であって、前記購買者端末からの前記適合性の判別要求を、前記商品の形状データと前記対象物の識別情報と共に受信する段階と、前記識別情報から予め記憶している形状データを取り出す段階と、前記商品の形状データと前記対象物の形状データとを比較することにより、前記適合性を判別する段階と、前記適合性の判別結果を前記購買者端末に送信する適合性判別結果送信段階とを有することを特徴とする。
【００１０】
このような商品適合性判別方法では、購買者が商品適合性判別サーバによる判別結果を確認することにより、煩雑な操作を行うことなく、購入を希望する商品とその商品が適用される対象物との適合性を容易に確認することができる。また、商品が適用される対象物の形状データが予め商品適合性判別サーバに配置されているため、購買者端末が商品適合性判別サーバに適合性判別の要求を行うたびに、前記対象物の形状データを送信する必要が無い。
【００１１】
また、上記課題を解決するため、本発明は、購買者端末が販売者サーバから購入を希望している商品と、前記商品が適用される対象物との適合性を前記購買者端末からの要求に応じて判別する商品適合性判別サーバにおける商品適合性判別方法であって、前記購買者端末からの前記適合性の判別要求を、前記商品の形状データの格納場所に関する情報と前記対象物の形状データと共に受信する段階と、前記商品の形状データを前記格納場所から取得する取得する段階と、前記商品の形状データと前記対象物の形状データとを比較することにより、前記適合性を判別する段階と、前記適合性の判別結果を前記購買者端末に送信する適合性判別結果送信段階とを有することを特徴とする。
【００１２】
このような商品適合性判別方法では、購買者が商品適合性判別サーバによる判別結果を確認することにより、煩雑な操作を行うことなく、購入を希望する商品とその商品が適用される対象物との適合性を容易に確認することができる。また、購買者端末は商品適合性判別サーバに対し、商品の形状データの格納場所に関する情報のみを送信するため、購買者端末が商品適合性判別サーバに適合性判別の要求を行うたびに、前記商品の形状データを送信する必要が無い。
【００１３】
また、上記課題を解決するため、本発明は、購買者端末が販売者サーバから購入を希望している商品と、前記商品が適用される対象物との適合性を前記購買者端末からの要求に応じて判別する商品適合性判別サーバにおける商品適合性判別方法であって、前記購買者端末からの前記適合性の判別要求を、前記商品の前記商品の形状データの格納場所に関する情報と前記対象物の識別情報と共に受信する段階と、前記商品の形状データを前記格納場所から取得する段階と、前記識別情報から予め記憶している形状データを取り出す段階と、前記商品の形状データと予め有している前記対象物の形状データとを比較することにより、前記適合性を判別する段階と、前記適合性の判別結果を前記購買者端末に送信する適合性判別結果送信段階とを有することを特徴とする。
【００１４】
このような商品適合性判別方法では、購買者が商品適合性判別サーバによる判別結果を確認することにより、煩雑な操作を行うことなく、購入を希望する商品とその商品が適用される対象物との適合性を容易に確認することができる。また、購買者端末が商品適合性判別サーバに適合性判別の要求を行うたびに、商品の形状データと商品が適用される対象物の形状データを送信する必要が無い。
【００１５】
また、本発明は、前記適合性判別結果送信段階は、前記適合性の判別結果を更に前記販売者サーバに送信することを特徴とする、
このような商品適合性判別方法では、商品の販売者が適合性の判別結果を入手することにより、今後の商品の形状の品揃えなどの決定に役立てることができる。
【００１６】
また、本発明は、前記商品適合性判別サーバと前記販売者サーバとを統合して一つの装置としたことを特徴とする。
【００１７】
このような商品適合性判別方法では、商品適合性判別サーバと販売者サーバとの間の通信が不要となり、商品の形状データのネットワーク上での移動が不要となるため、商品と商品が適用される対象物との適合性の判別サービスをレスポンス良く提供することができる。
【００１８】
また、本発明は、前記商品適合性判別サーバは、前記適合性を判別する段階の処理、又は前記判別結果に応じて課金額を決定する段階と、前記課金額を購買者端末又は販売者サーバに送信する段階とを更に有することを特徴とする。
【００１９】
このような商品適合性判別方法では、商品適合性判別処理を商用サービスとして提供することができ、その課金額を購買者や販売者等に通知することができる。
【００２０】
また、本発明は、　前記課金額は、前記商品の形状データ又は前記対象物の形状データのデータ量、データの照合を行った回数、商品の種類、又はそれらの組み合わせに応じて決定されることを特徴とする。
【００２１】
このような商品適合性判別方法では、適合性の判別処理量と相関関係にあるパラメータをもとに課金額を決定するため、各購買者に対して適正な課金を行うことができる。
【００２２】
また、上記課題を解決するため、本発明は、購買者端末が販売者サーバから購入を希望している商品と、前記商品が適用される対象物との適合性を購買者端末からの要求に応じて判別する商品適合性判別サーバであって、前記購買者端末からの前記適合性の判別要求を、前記商品の形状データと前記対象物の形状データと共に受信する手段と、前記商品の形状データと前記対象物の形状データとを比較することにより、前記適合性を判別する手段と、前記適合性の判別結果を前記購買者端末に送信する手段とを有することを特徴とする。
【００２３】
このような商品適合性判別サーバでは、購買者サーバに商品とその商品が適用される対象物との適合性の判別結果を送信することにより、煩雑な操作を行うことなく、購入を希望する商品とその商品が適用される対象物との適合性を容易に確認することができる。
【００２４】
また、上記課題を解決するため、本発明は、購買者端末が販売者サーバから購入を希望している商品と、前記商品が適用される対象物との適合性を購買者端末からの要求に応じて判別する商品適合性判別サーバであって、前記購買者端末からの前記適合性の判別要求を、前記商品の形状データの格納場所に関する情報と前記対象物の形状データと共に受信する手段と、前記商品の形状データを前記格納場所から取得する取得する手段と、前記商品の形状データと前記対象物の形状データとを比較することにより、前記適合性を判別する手段と、前記適合性の判別結果を前記購買者端末に送信する適合性判別結果送信手段とを有することを特徴とする。
【００２５】
このような商品適合性判別サーバでは、購買者サーバに商品とその商品が適用される対象物との適合性の判別結果を送信することにより、煩雑な操作を行うことなく、購入を希望する商品とその商品が適用される対象物との適合性を容易に確認することができる。また、購買者端末が商品適合性判別サーバに適合性判別の要求を行うたびに、前記商品の形状データを送信する必要が無い。
【００２６】
【発明の実施の形態】
以下、図面に基づいて本発明の実施の形態を説明する。
【００２７】
図１は、本発明の実施の形態における商品適合性判別システムの構成例を示す図である。図１の商品適合性判別システム１は、パソコン、携帯電話、その他情報端末等の購買者端末１０と、オンラインショッピングサイトが構築されている販売者サーバ２０と、購買者端末１０からの要求に応じて商品とその商品が適用される対象物との適合性の判別を行う商品適合性判別サーバ３０とが、インターネット等のネットワークを介して接続されている。販売者サーバ３０は、商品の形状データを有しており、購買者端末１０は商品が適用される対象物の形状データを有している。
【００２８】
ここで、商品及びその商品が適用される対象物の形状データとしては、図２の形状データの例を示す図に示されているような物体の表面上の３次元相対位置情報を用いてもよい。このような形状データの取得方法は、例えば特開平１１−３７７７３６や、「光三次元計測（新技術コミュニケーションズ、１９９８年第２版発行）」等に記述されているような方法、装置を用いればよい。特開平１１−３７７７３６では、重力方向および重力回りの角度を検出するセンサを有し、２方向から立体形状を知りたい被写体の画像を撮影し、その画像と前記角度情報より被写体の立体形状を算出するものである。従って、販売者は商品の形状データを、購買者はその商品が適用される対象物の形状データを上述の方法、装置により予め生成しておく。
【００２９】
次に、商品適合性判別サーバ３０の詳細について説明する。図３は、本発明の実施の形態における商品適合性判別サーバ３０のハードウェア構成図を示す。図３の商品適合性判別サーバ３０は、それぞれバスＢで相互に接続されているドライブ装置１００と、記憶媒体１０１と、補助記憶装置１０２と、メモリ装置１０３と、演算処理装置１０４と、インタフェース装置１０５とを有するように構成される。
【００３０】
インタフェース装置１０５は例えばモデム、ルータ等で構成され、図１のネットワーク４０に接続するために用いられる。
【００３１】
商品適合性判別サーバ３０が利用する商品適合性判別プログラムは、ＣＤ―ＲＯＭ等の記憶媒体１０１によって提供される。商品適合性判別プログラムを記録した記録媒体１０１は、ドライブ装置１００にセットされ、商品適合性判別プログラムが記録媒体１０１からドライブ装置１００を介して補助記憶装置１０２にインストールされる。
【００３２】
補助記憶装置１０２は、インストールされた商品適合性判別プログラムを格納すると共に、必要なファイルやデータ等を格納する。メモリ装置１０３は、商品適合性判別サーバ３０の起動時等商品適合性判別プログラムの起動指示があった場合に、補助記憶装置１０２から商品適合性判別プログラムを読み出して格納する。演算処理装置１０４は、メモリ装置１０３に格納された商品適合性判別プログラムに従って商品適合性判別サーバ３０に係る機能を実行する。
【００３３】
本実施の形態においては、商品としてＴシャツ、商品が適用される対象物としてはＴシャツを着用する購買者の体型を例として説明する。
【００３４】
購買者端末１０には販売者サーバ２０にアクセスすることにより、図４の商品選択用画面例を示す図で示す画面がＷｅｂブラウザ等に表示されており、購買者が自分の体型との適合性を確認したいＴシャツが選べるようになっている。又は、図５の複数の商品の選択が可能な画面例を示す図で示されるように、チェックボタン１１２を選択しておき送信ボタン１１３をクリックすることにより、一度に複数の商品の選択を可能としても良い。更に、予め購買者がカタログ、雑誌等により商品番号等の商品を識別するための情報を知っているのであれば、図６の商品番号を利用した場合の画面例を示す図で示すように、テキストボックス１１４に商品番号を入力し、送信ボタン１１５をクリックすることにより、商品の選択を可能としても良い。
【００３５】
以下、図１の商品適合性判別システム１の処理手順の第一の例について説明していく。
【００３６】
図７は商品適合性判別システム１の処理手順の第一の例のシーケンス図を示す。ステップＳ１０において、購買者５０が図４のＴシャツ１５０のＳサイズが自分の体型に合っているかどうかを確認するために、画面上１１１で示される部分をクリックする。
【００３７】
ステップＳ１０に続いてステップＳ１１に進み、購買者端末１０は販売者サーバ２０に対して、Ｔシャツ１５０のＳサイズに対応する形状データ（以降、Ｔシャツ１５０形状データという。）の送信を要求する。なお、図５で示すような画面から複数のＴシャツの適合性の要求があった場合には、複数の形状データの送信について要求をおこない、以降のステップについては、各形状データについて同様に処理を行う。
【００３８】
ステップＳ１１に続いてステップＳ１２に進み、販売者サーバ２０は要求されたＴシャツ１５０形状データを取り出す。
【００３９】
ステップＳ１２に続いてステップＳ１３に進み、販売者サーバ２０はＴシャツ１５０形状データを購買者端末１０に対して送信する。
【００４０】
ステップＳ１３に続いてステップＳ１４に進み、購買者端末１０は商品適合性判別サーバ３０に対してＴシャツ１５０と購買者５０の体型との適合性の判別の要求を送信する。この際に、Ｔシャツ１５０形状データと、購買者５０の体型を表す形状データ（以降、購買者５０体型データという。）も一緒に送信する。なお、購買者５０体型データは、会員登録のような形で予め商品適合性判別サーバ３０に登録しておいても良い。その場合は、商品適合性判別サーバ３０が予め購買者５０体型データを有しているため、購買者端末１０は購買者５０体型データの代わりに、購買者５０体型データの識別情報を送信すれば良い。また、商品適合性判別サーバ３０を汎用的なもの、即ちＴシャツのみならず他のカテゴリーに属する商品とその対象物との適合性の判別をも行うものとして構成するのであれば、ステップＳ１４において購買者端末５０が、商品の種別（本実施の形態においてはＴシャツ）と、その対象物の種別（本実施の形態においては体型）を表す情報も送信すれば良い。
【００４１】
ステップＳ１４に続いてステップＳ１５に進み、判別要求を受信した適合性判別サーバ３０は、Ｔシャツ１５０形状データと購買者５０体型データとを後述する方法により比較する。更に、適合性判別処理をサービスとして課金する場合には、本ステップにおいて適合性判別処理に対する課金額を求める。この課金額は、形状データのデータ量、データの照合を行った回数、商品の種類、又はこれらの組み合わせたパラメータに応じて求める。具体的には、データ量について１ＫＢ（キロバイト）あたり１００円だとした場合、Ｔシャツ１５０形状データのデータ量が５ＫＢだったら、５００円が課金額となるといった具合である。
【００４２】
ステップＳ１５に続いてステップＳ１６に進み、商品適合性判別サーバ３０は購買者端末１０に対して判別結果を送信する。
【００４３】
ステップＳ１６に続いてステップＳ１７に進み、購買者端末１０は受信した判別結果を表示する。
【００４４】
図８は商品とその適用対象物の適合性の判別結果の画面例を示す図である。図８の例では、複数の商品の判別結果を表示しており、購買者５０はこの画面を確認することにより、ＴシャツＡについてはちょうど良いサイズであり、ＴシャツＢについてはそれほど合っていないことを確認することができる。
【００４５】
これによって、購買者５０はＴシャツ１５０が自分の体型にあっているかどうかを確認することができ、購入するか否かの決定の参考とすることができる。
【００４６】
ステップＳ１７に続いてステップＳ１８に進み、商品判別サーバ３０が販売者サーバ２０に判別結果を送信する。
【００４７】
ステップＳ１８に続いてステップＳ１９に進み、販売者サーバ２０は受信した判別結果を記憶手段に蓄積する。販売者はこのように蓄積された判別結果に基づいて今後の商品の形状の品揃え等の検討を行うことができる。
【００４８】
ステップＳ１９に続いてステップＳ２０に進み、商品適合性判別サーバ３０は購買者端末１０に課金額を送信する。本通知は電子メールによって通知しても良い。また、ステップＳ１６における判別結果の送信に伴って、課金額も送信し、ステップＳ１７における判別結果の表示画面、即ち図８の画面上において、課金額を表示しても良い。
【００４９】
次に、前述したステップＳ１５における形状データの比較方法について説明する。図９は商品形状データと、その適用対象物形状データとの比較処理を説明するためのフローチャート図である。ステップＳ１００において、商品適合性判別サーバが商品形状データとその適用対象物の形状データとして例えばＴシャツ１５０形状データと購買者５０体型データを読み込む。
【００５０】
ステップＳ１００に続いてステップＳ１０１に進み、商品適合性判別サーバ３０は、商品形状データとその適用対象物の形状データとの位置合わせを行う。この位置合わせは、図２に示すような表面形状データである、商品形状データとその適用対象物の形状データを構成するそれぞれの点の間の距離の総和が最小となるように行う。
【００５１】
ステップＳ１０１に続いてステップＳ１０２に進み、商品適合性判別サーバ３０は、上述した２つの形状データ間の距離が、商品の種類毎、又は商品毎に設定されている所定の閾値より小さいかどうかを判断する。この判断は、何種類かの範囲を設けてもよい。そうすることにより、より細かいランク付けにより適合性の判断を行うことができる。また衣類が伸縮するように、形状の自由度が高い商品については、この閾値を大きめにしておけば良く、その値はテストを行うことにより決定する。
【００５２】
ステップＳ１０２において、データ間の距離が所定の閾値より小さかった場合は、ステップＳ１０３に進み、商品適合性判別サーバ３０は、商品とその対象物、ここではＴシャツ１５０と購買者５０との適合性は有るとして処理を終了する。
【００５３】
ステップＳ１０２において、データ間の距離が所定の閾値より大きかった場合は、ステップＳ１０４に進み、商品適合性判別サーバ３０は、商品とその対象物との適合性は無いとして処理を終了する。
【００５４】
更に、図１の商品適合性判別システム１の処理手順の第二の例として、Ｔシャツ１５０形状データについて、商品適合性管理サーバ３０が販売者サーバ２０に直接取りに行く例をする。なお、購買者端末１０には第一の例と同様に、図４の画面が表示されている。
【００５５】
図１０は商品適合性判別システム１の処理手順の第二の例のシーケンス図を示す。ステップＳ５０において、購買者５０が図４のＴシャツ１５０のＳサイズが自分の体型に合っているかどうかを確認するために、画面上１１１で示される部分をクリックする。
【００５６】
ステップＳ５０に続いてステップＳ５１に進み、購買者端末１０は商品適合性判別サーバ３０に対してＴシャツ１５０と購買者５０の体型との適合性の判別の要求を送信する。この際に、Ｔシャツ１５０形状データと、Ｔシャツ１５０形状データが格納されている情報としてＴシャツ１５０形状データのＵＲＬも一緒に送信する。ただし、購買者５０体型データは、第一の例と同様、予め商品適合性判別サーバ３０に登録しておいても良い。その場合は、購買者端末１０は購買者５０体型データの代わりに、購買者５０体型データの識別情報を送信すれば良い。なお、図５で示すような画面から複数のＴシャツの適合性の要求があった場合には、複数のＴシャツについての判別要求を行い、各商品形状データのＵＲＬを送信する。
【００５７】
ステップＳ５１に続いてステップＳ５２に進み、Ｔシャツ１５０形状データのＵＲＬに基づいて、商品適合性判別サーバ３０は販売者サーバ２０に対してＴシャツ１５０形状データの送信を要求する。
【００５８】
ステップＳ５２に続いてステップＳ５３に進み、販売者サーバ２０は要求されたＴシャツ１５０形状データを取り出す。
【００５９】
ステップＳ５３に続いてステップＳ５４に進み、販売者サーバ２０はＴシャツ１５０形状データを商品適合性判別サーバ３０に対して送信する。
【００６０】
ステップＳ５４に続いてステップＳ５５に進み、判別要求を受信した適合性判別サーバ３０は、Ｔシャツ１５０形状データと購買者５０体型データとを前述した方法により、比較する。
【００６１】
ステップＳ５５以降は、ステップＳ５６、Ｓ５７、Ｓ５８、Ｓ５９と処理が続き、判別結果が購買者端末１０に送信され、購買者端末１０で表示され、更に判別結果が販売者サーバ２０に送信され、販売者サーバ２０に蓄積されるのは、既に説明した第一の例と同様である。この実施の形態においては、Ｔシャツ１５０形状データが購買者端末１０を経由せず、更に購買者５０体型データも予め商品適合性判別サーバ３０に格納しておけば、携帯電話のように記憶装置の容量がそれ程大きくない情報端末も、特に問題なく利用することが可能である。
【００６２】
上述したように、本発明によれば、購買者５０は特に煩雑な操作を行うことなく、Ｔシャツ１５０が自分の体型に合っているかどうかを容易に確認することができる。
【００６３】
以上本発明の好ましい実施例について詳述したが、本発明は係る特定の実施形態に限定されるものではなく、特許請求の範囲に記載された本発明の要旨の範囲内において、種々の変形・変更が可能である。例えば、本発明によれば、衣服と体型との適合性の判別のみならず、本棚、システムキッチン、家具等とそれらが配置されるスペースとを始め、形状データとして表現できるものであれば同じ原理を利用してそれらの適合性の判別を行うことが可能である。
【００６４】
【発明の効果】
上述の如く、本発明によれば、購買者が商品適合性判別サーバによる判別結果を確認することにより、購買者が煩雑な操作を行うことなく購入を希望する商品とその商品が適用される対象物との適合性を容易に確認することができる。
【図面の簡単な説明】
【図１】本発明の実施の形態における商品適合性判別システムの構成例を示す図である。
【図２】形状データの例を示す図である。
【図３】本発明の実施の形態における商品適合性判別サーバのハードウェア構成図である。
【図４】商品選択用画面例を示す図である。
【図５】複数の商品の選択が可能な画面例を示す図である。
【図６】商品番号を利用した場合の画面例を示す図である。
【図７】商品適合性判別システムの処理手順の第一の例のシーケンス図である。
【図８】商品とその適用対象物との適合性の判別結果の画面例を示す図である。
【図９】商品形状データとその適用対象物形状データとの比較処理を説明するためのフローチャート図である。
【図１０】商品適合性判別システムの処理手順の第二の例のシーケンス図である。
【符号の説明】
１０　　購買者端末
２０　　販売者サーバ
３０　　商品適合性判別サーバ
４０　　ネットワーク
５０　　購買者
１００　　ドライブ装置
１０１　　記憶媒体
１０２　　補助記憶装置
１０３　　メモリ装置
１０４　　演算処理装置
１０５　　インタフェース装置
Ｂ　　バス
【図１】
2004021840.tif 000003
【図２】
2004021840.tif 000004
【図３】
2004021840.tif 000005
【図４】
2004021840.tif 000006
【図５】
2004021840.tif 000007
【図６】
2004021840.tif 000008
【図７】
2004021840.tif 000009
【図８】
2004021840.tif 000010
【図９】
2004021840.tif 000011
【図１０】
2004021840.tif 000012